(57)【要約】【課題】システムの複雑化等を抑えながら、データ更新の作業を自動化することが容易となる電子機器を提供する。【解決手段】自機と他機の間で互換性のある特定データを格納する格納部と、更新関連処理を行う更新関連処理部と、を備え、更新関連処理は、前記格納されている特定データを前記他機に送信するデータ送信処理と、前記他機が有する特定データを受信するデータ受信処理と、前記受信した特定データのバージョンと前記格納されている特定データのバージョンとを比較する第１比較処理と、第１比較処理の結果に応じて、前記格納されている特定データを前記受信した特定データに更新する更新処理と、を含む電子機器とする。【選択図】図３
2015130608.tif 000002
【特許請求の範囲】
【請求項１】
自機と他機の間で互換性のある特定データを格納する格納部と、
更新関連処理を行う更新関連処理部と、を備え、
前記更新関連処理は、
前記格納されている特定データを前記他機に送信するデータ送信処理と、
前記他機が有する特定データを受信するデータ受信処理と、
前記受信した特定データのバージョンと前記格納されている特定データのバージョンとを比較する第１比較処理と、
第１比較処理の結果に応じて、前記格納されている特定データを前記受信した特定データに更新する更新処理と、を含む電子機器。
【請求項２】
前記更新関連処理は、
前記格納されている特定データのバージョン情報を前記他機に送信するバージョン送信処理と、
前記他機が有する特定データのバージョン情報を受信するバージョン受信処理と、
前記受信したバージョン情報が示すバージョンと前記格納されている特定データのバージョンとを比較する第２比較処理と、
第２比較処理の結果に応じて、前記示されたバージョンの特定データの送信要求を前記他機に送信する要求送信処理と、を含む請求項１に記載の電子機器。
【請求項３】
前記更新関連処理は、
前記他機から特定データの送信要求を受信する要求受信処理と、
前記受信した送信要求の特定データのバージョンと前記格納されている特定データのバージョンとを比較する第３比較処理と、を含み、
前記データ送信処理は、
第３比較処理の結果に応じて行われる請求項２に記載の電子機器。
【請求項４】
前記データ送信処理は、
前記受信した送信要求の特定データのバージョンが前記格納されている特定データのバージョンと比べて、同じまたは古いときに行われる請求項３に記載の電子機器。
【請求項５】
前記更新関連処理部は、
予め設定された時刻に前記更新処理を行う請求項１から請求項４の何れかに記載の電子機器。
【請求項６】
自機の識別情報および前記格納されている特定データのバージョン情報を、前記他機に送信する請求項１から請求項５の何れかに記載の電子機器。
【請求項７】
前記他機の識別情報および前記他機が有する特定データのバージョン情報を、受信して記録する請求項１から請求項６の何れかに記載の電子機器。
【請求項８】
特定データがチャンネルマップのデータであるテレビ放送受像機であって、
前記格納されている特定データに基づいて、選局する放送局を決める請求項１から請求項７の何れかに記載の電子機器。
【発明の詳細な説明】
【技術分野】
【０００１】
本発明は、例えばチャンネルマップ等のデータを更新する電子機器に関する。
【背景技術】
【０００２】
従来、多くのホテルでは各客室にサービス用のテレビ受像機が設置され、その客室を使用する客に利用されるようになっている。またテレビ受像機はチャンネルマップのデータを格納する機能を有しており、各テレビ受像機は、自機のチャンネルマップに基づいて放送受信等の処理を実行する。なおチャンネルマップのデータは、各テレビ受像機の間で互換性のあるデータである。
【０００３】
上述したような各テレビ受像機については、必要に応じて、チャンネルマップが新しいバージョンのものに更新される。チャンネルマップを更新する作業は、ＵＳＢメモリ等に新しいバージョンのデータを予め記録させておき、これを各テレビ受像機に接続させることにより行われる。複数のテレビ受像機のチャンネルマップを更新する際には、このＵＳＢメモリ等を持った作業者（ホテルマン等）が、テレビ受像機が設置された各部屋を回ることになる。
【先行技術文献】
【特許文献】
【０００４】
【特許文献１】特開２００７−２９５５３４号公報
【発明の概要】
【発明が解決しようとする課題】
【０００５】
作業者が各部屋を回ってデータ更新の作業を行うようなことは、作業効率等の面で好ましいとは言えない。このような事情から、各テレビ受像機を含んだシステムを構成し、当該システムによってデータ更新が自動的に行われることが望ましい。但し、特許文献１に開示された技術のようにリモート支援サイト等を設けることは、システムの複雑化やコストアップ等の要因となるため好ましいとは言えない。
【０００６】
なお上述したような課題は、テレビ受像機に限られず、更新可能なデータを格納する様々な電子機器について該当し得る。本発明は上述した問題に鑑み、システムの複雑化等を抑えながら、データ更新の作業を自動化することが容易となる電子機器の提供を目的とする。
【課題を解決するための手段】
【０００７】
本発明に係る電子機器は、自機と他機の間で互換性のある特定データを格納する格納部と、更新関連処理を行う更新関連処理部と、を備え、前記更新関連処理は、前記格納されている特定データを前記他機に送信するデータ送信処理と、前記他機が有する特定データを受信するデータ受信処理と、前記受信した特定データのバージョンと前記格納されている特定データのバージョンとを比較する第１比較処理と、第１比較処理の結果に応じて、前記格納されている特定データを前記受信した特定データに更新する更新処理と、を含む構成とする。
【０００８】
本構成によれば、システムの複雑化等を抑えながら、データ更新の作業を自動化することが容易となる。
【０００９】
また上記構成としてより具体的には、前記更新関連処理は、前記格納されている特定データのバージョン情報を前記他機に送信するバージョン送信処理と、前記他機が有する特定データのバージョン情報を受信するバージョン受信処理と、前記受信したバージョン情報が示すバージョンと前記格納されている特定データのバージョンとを比較する第２比較処理と、第２比較処理の結果に応じて、前記示されたバージョンの特定データの送信要求を前記他機に送信する要求送信処理と、を含む構成としてもよい。
【００１０】
また上記構成としてより具体的には、前記更新関連処理は、前記他機から特定データの送信要求を受信する要求受信処理と、前記受信した送信要求の特定データのバージョンと前記格納されている特定データのバージョンとを比較する第３比較処理と、を含み、前記データ送信処理は、第３比較処理の結果に応じて行われる構成としてもよい。
【００１１】
また上記構成としてより具体的には、前記データ送信処理は、前記受信した送信要求の特定データのバージョンが前記格納されている特定データのバージョンと比べて、同じまたは古いときに行われる構成としてもよい。
【００１２】
また上記構成としてより具体的には、前記更新関連処理部は、予め設定された時刻に前記更新処理を行う構成としてもよい。また上記構成としてより具体的には、自機の識別情報および前記格納されている特定データのバージョン情報を、前記他機に送信する構成としてもよい。また上記構成としてより具体的には、前記他機の識別情報および前記他機が有する特定データのバージョン情報を、受信して記録する構成としてもよい。
【００１３】
また上記構成としてより具体的には、特定データがチャンネルマップのデータであるテレビ放送受像機であって、前記格納されている特定データに基づいて、選局する放送局を決める構成としてもよい。
【発明の効果】
【００１４】
本発明に係る電子機器によれば、システムの複雑化等を抑えながら、データ更新の作業を自動化することが容易となる。
【図面の簡単な説明】
【００１５】
【図１】本実施形態に係るテレビシステムの構成図である。
【図２】本実施形態に係るテレビ受像機の構成を表すブロック図である。
【図３】第１実施形態に係る更新関連処理に関するフローチャートである。
【図４】第２実施形態に係る更新関連処理に関するフローチャートである。
【図５】第３実施形態に係る確認データ取得処理に関するフローチャートである。
【発明を実施するための形態】
【００１６】
本発明の実施形態について、第１から第３の各実施形態を例に挙げて以下に説明する。
【００１７】
１．第１実施形態
［テレビシステムの構成等］
まず第１実施形態について説明する。図１は、本実施形態に係るテレビシステム１の構成図である。本図に示すようにテレビシステム１は、複数のテレビ受像機２（図１ではａ〜ｈが例示されている）の各々が、ネットワーク３を介して互いに通信可能となるように接続されている。
【００１８】
なお各テレビ受像機２の間における通信の形態は、有線通信と無線通信の何れの形態であっても良く、これらの形態が混在していても構わない。各テレビ受像機２は、例えばホテルの各客室に設置され、その部屋を使用する客に利用される。
【００１９】
また図２は、テレビ受像機２の構成を表すブロック図である。本図に示すようにテレビ受像機２は、放送信号受信部２１、放送信号処理部２２、画像処理部２３、音声処理部２４、ディスプレイ２５、スピーカ２６、操作部２７、通信部２８、および制御部２９を備えている。
【００２０】
放送信号受信部２１は、現在選局されている放送局のテレビ放送信号を受信し、当該信号を放送信号処理部２２へ送出する。なお選局する周波数は、後述するように制御部２９によって決定される。
【００２１】
放送信号処理部２２は、放送信号受信部２１から受取った信号にデコード処理等を施し、受信チャンネルの番組の画像および音声の情報を取得する。また放送信号処理部２２は、受信チャンネルの番組の画像情報を画像処理部２３へ送出し、その番組の音声情報を音声処理部２４へ送出する。
【００２２】
画像処理部２３は、放送信号処理部２２から受けた画像情報に基づいて、ディスプレイ２５に画像を表示させるための信号を生成し、ディスプレイ２５へ送出する。ディスプレイ２５は、例えば液晶ディスプレイとして形成されており、画像処理部２３から受取った信号に基づいて画像を表示する。
【００２３】
音声処理部２４は、放送信号処理部２２から受けた音声情報に基づいて、スピーカ２６に音声を出力させるための信号を生成し、スピーカ２６へ送出する。スピーカ２６は、音声処理部２４から受取った信号に基づいて音声を出力する。
【００２４】
操作部２７は、テレビ受像機２の本体に設けられた操作スイッチや、リモートコントロール装置等から形成されている。操作部２７は、利用者による各種操作を受付けて、その操作の情報を制御部２９へ送出する。
【００２５】
通信部２８は、他のテレビ受像機２との通信に必要となる各処理を実行する。テレビ受像機２は、他の全てのテレビ受像機２に対する情報の送信（以下、「ブロードキャスト」と称する）や、他のテレビ受像機２からブロードキャストされた情報の受信などが可能である。
【００２６】
制御部２９は、テレビ受像機２（自機）が正常に動作するように、各種の情報処理および自機の制御を実行する。制御部２９が行う動作には、ユーザによるチャンネル番号の指定操作がなされたときに、当該指定操作と自機のチャンネルマップに基づいて、選局する放送局を決める動作が含まれる。なおチャンネルマップは、チャンネル番号と放送局（放送信号の周波数）の対応関係等を特定するものである。
【００２７】
テレビ受像機２は、選局された放送局のテレビ放送を受信して、その番組の画像表示と音声出力を行うように動作する。これによりテレビ受像機２のユーザは、所望の放送局のテレビ番組を視聴することが可能である。また制御部２９は、格納部２９ａおよび更新関連処理部２９ｂを有している。
【００２８】
格納部２９ａは、書換え可能な不揮発性のメモリ（例えばフラッシュメモリ）により形成されており、チャンネルマップのデータ（以下、「ＣＭデータ」と略記することがある）を更新可能に格納する。格納部２９ａに格納されているＣＭデータの内容（チャンネルマップ）が、そのテレビ受像機２において、選局する放送局を決める動作に用いられる。
【００２９】
なおＣＭデータには、新旧の度合を示すバージョンが付与されており、バージョンが高いほど、そのＣＭデータは新しいということになる。またＣＭデータは、各テレビ受像機２の間で互換性がある。すなわちＣＭデータは、何れのテレビ受像機２においても格納可能であり、そのテレビ受像機２において利用され得る。また、あるテレビ受像機２に格納されているＣＭデータが他のテレビ受像機２に送信されるようにし、当該他のテレビ受像機２に格納させることも可能である。
【００３０】
また格納部２９ａに格納されるＣＭデータは、作業者（ホテルマン等）が適宜行う作業によって更新され得る。例えばこの作業は、ＵＳＢメモリ等に新しいバージョンのＣＭデータを予め記録させておき、これをテレビ受像機２に接続させることにより行われる。
【００３１】
更新関連処理部２９ｂは、自機（格納部２９ａ）に格納されているＣＭデータを必要に応じて自動的に更新するための更新関連処理を実行する。更新関連処理の実行により、他のテレビ受像機２と連携して、自機に格納されているＣＭデータを出来るだけ新しいバージョンのものに更新することが可能である。
【００３２】
［更新関連処理の内容］
更新関連処理の内容について、図３に示すフローチャートを参照しながら以下に説明する。テレビ受像機２は、定期的に自機のＣＭデータ（自機に格納されているＣＭデータを指す。以下同様。）をブロードキャストするように設定されており、図３の着色部に示す内容（ステップＳ１およびＳ２）の監視を行う。
【００３３】
すなわちテレビ受像機２は、自機のＣＭデータをブロードキャストすべきタイミングが到来したか否か（ステップＳ１）、および他機（他のテレビ受像機２を指す。以下同様。）からＣＭデータを受信したか否か（ステップＳ２）を監視する。
【００３４】
ＣＭデータをブロードキャストすべきタイミングが到来すると（ステップＳ１のＹ）、テレビ受像機２は、自機のＣＭデータをブロードキャストする（ステップＳ３）。そして一定時間の待機後に（ステップＳ４）、テレビ受像機２はステップＳ１の処理を繰返す。
【００３５】
また他機からＣＭデータを受信すると（ステップＳ２のＹ）、テレビ受像機２は、受信したＣＭデータのバージョンと、自機のＣＭデータのバージョンとを比較する（ステップＳ５）。そして今回受信したＣＭデータのバージョンの方が新しい場合には（ステップＳ５のＹ）、テレビ受像機２は、既定時間の待機後に（ステップＳ６）、自機のＣＭデータを今回受信したものに更新する（ステップＳ７）。
【００３６】
一方、今回受信したＣＭデータのバージョンが、自機のＣＭデータのバージョンより古い（または同じ）場合には（ステップＳ５のＮ）、テレビ受像機２は、ステップＳ６〜Ｓ７の処理を行わずにステップＳ１の処理を繰返す。上述した更新関連処理が各テレビ受像機２において実行されることにより、何れのテレビ受像機２のＣＭデータについても、最新バージョンのものとすることが可能である。例えば、何れか一台のテレビ受像機２に対してだけ作業者がＣＭデータを最新バージョンに更新させる作業を行った場合でも、その後に各テレビ受像機２が更新関連処理を実行することにより、全てのテレビ受像機２のＣＭデータが最新バージョンとなる。
【００３７】
なお複数のテレビ受像機２の間においては、例えば他機からブロードキャストされたデータを受信するタイミング等にズレが生じることもある。上述したステップＳ４の処理における待機時間の長さ等は、このようなズレが生じても更新関連処理が適切に行われるように設定される。
【００３８】
またテレビ受像機２の使用中（特にユーザによる視聴時）にＣＭデータが更新されると、テレビ放送の選局に支障が生じ、ユーザに違和感を与える虞がある。そこで上述したステップＳ６の処理における待機時間の長さ等は、このような不具合が極力回避されるように適切に決められる。
【００３９】
例えば、テレビ受像機２の使用履歴等の情報に基づいて、テレビ受像機２が使用される可能性の最も低い時刻が設定され、この設定された時刻まで待機するように当該待機時間が決められる。この場合にテレビ受像機２は、予め設定された時刻にステップＳ７の処理（更新処理）を行うことになる。またテレビ受像機２は、当該待機中には電源オフの状態となっていても、その待機の終了時には自動的に電源オンの状態となり、ステップＳ７の処理を実行する。
【００４０】
なおテレビ受像機２ごとに、使用される時間帯に関わる諸事情（例えばホテルの清掃サービスの時間帯や、部屋のグレードに応じたチェックイン・チェックアウトの時刻等）が異なることもある。この点を考慮して、ステップＳ６の処理における待機時間は、テレビ受像機２ごとに別々に設定されることが好ましい。
【００４１】
また既に説明した通り、更新関連処理によれば、ＣＭデータをブロードキャストすべきタイミングが到来すると（ステップＳ１のＹ）、自機のＣＭデータがブロードキャストされる（ステップＳ３）。但しテレビ受像機２は、ＣＭデータをブロードキャストすべきタイミングが到来した時点で既にステップＳ６の処理（待機）を行っている場合には、自機に格納されているＣＭデータの代わりに、他機から受信済みのＣＭデータ（待機後に格納される予定のＣＭデータ）をブロードキャストするようにしても良い。
【００４２】
ここで、最新バージョンのＣＭデータを格納しているテレビ受像機２と、それより古いバージョンのＣＭデータを格納しているテレビ受像機２に着目し、後者のテレビ受像機２のＣＭデータが最新バージョンのものに更新される様子の一例について説明する。なお以下の説明では、便宜的に、最新バージョンのＣＭデータを格納しているテレビ受像機２を「テレビ（新）」と称し、それより古いバージョンのＣＭデータを格納しているテレビ受像機２を「テレビ（旧）」と称する。
【００４３】
テレビ（新）は、ＣＭデータをブロードキャストすべきタイミングが到来すると（ステップＳ１）、自機のＣＭデータをブロードキャストする（ステップＳ３）。これにより、テレビ（旧）は、テレビ（新）からブロードキャストされた最新バージョンのＣＭデータを受信することになる（ステップＳ２のＹ）。
【００４４】
その後にテレビ（旧）は、受信したＣＭデータの方が自機のＣＭデータより新しいため（ステップＳ５のＹ）、自機のＣＭデータを受信したものに更新することになる（ステップＳ７）。その結果、テレビ（旧）のＣＭデータは、最新バージョンのものに更新されることになる。
【００４５】
なお、テレビ（旧）がステップＳ３の処理を行うことにより、最新ではないバージョンのＣＭデータもブロードキャストされ、テレビ（新）がこのＣＭデータを受信することも考えられる。しかしこの場合には、受信したＣＭデータはテレビ（新）のＣＭデータより新しくはないため（ステップＳ５のＮ）、テレビ（新）が自機のＣＭデータを更新することはない。これにより、ＣＭデータが新しい方から古い方へ誤って更新される事態は回避される。
【００４６】
２．第２実施形態
次に第２実施形態について説明する。なお第２実施形態は、更新関連処理に関する点を除き、基本的には第１実施形態と同様である。以下の説明では、第１実施形態と異なる部分の説明に重点をおき、共通する部分については説明を省略することがある。
【００４７】
第２実施形態のテレビ受像機２も、第１実施形態の場合と同様に、自機のＣＭデータを必要に応じて更新するための更新関連処理を実行する。但し第２実施形態の更新関連処理は、ＣＭデータのバージョンを示す情報（以下、「バージョン情報」と称する）を利用することにより、第１実施形態の場合に比べてネットワーク３の使用効率を向上させる形態となっている。なおバージョン情報は、ＣＭデータに比べて十分にサイズが小さく、通信負担を軽減させることが可能である。
【００４８】
第２実施形態における更新関連処理の内容について、図４に示すフローチャートを参照しながら以下に説明する。テレビ受像機２は、定期的に自機のＣＭデータのバージョン情報をブロードキャストするように設定されており、図４の着色部に示す内容（ステップＳ１１〜Ｓ１４）の監視を行う。
【００４９】
すなわちテレビ受像機２は、自機のＣＭデータのバージョン情報をブロードキャストすべきタイミングが到来したか否か（ステップＳ１１）、および、他機からバージョン情報を受信したか否か（ステップＳ１２）を監視する。また更にテレビ受像機２は、他機からＣＭデータの送信要求を受信したか否か（ステップＳ１３）、および、他機からＣＭデータを受信したか否か（ステップＳ１４）についても監視する。
【００５０】
バージョン情報をブロードキャストすべきタイミングが到来すると（ステップＳ１１のＹ）、テレビ受像機２は、自機のＣＭデータのバージョン情報をブロードキャストする（ステップＳ２１）。そして一定時間の待機後に（ステップＳ２２）、テレビ受像機２はステップＳ１１の処理を繰返す。
【００５１】
なお複数のテレビ受像機２の間においては、例えば他機からブロードキャストされたデータを受信するタイミング等にズレが生じることもある。上述したステップＳ２２（後述するステップＳ４２およびＳ４６も同様）の処理における待機時間の長さ等は、このようなズレが生じても更新関連処理が適切に行われるように設定される。
【００５２】
また他機からバージョン情報を受信すると（ステップＳ１２のＹ）、テレビ受像機２は、受信したバージョン情報に示されるバージョンと自機のＣＭデータのバージョンとを比較する（ステップＳ３１）。そして今回受信したバージョン情報に示されるバージョンの方が新しい場合には（ステップＳ３１のＹ）、テレビ受像機２は、そのバージョン（今回受信したバージョン情報のバージョン）のＣＭデータの送信要求をブロードキャストする（ステップＳ３２）。「ＣＭデータの送信要求」は、ＣＭデータの送信（ブロードキャスト）を他機に要求するためのメッセージ情報である。
【００５３】
なお当該ブロードキャストを行った後、テレビ受像機２は、ステップＳ１１の処理を繰返す。また一方で、今回受信したバージョン情報に示されるバージョンが新しくない場合（ステップＳ３１のＮ）には、テレビ受像機２は、ステップＳ３２の処理を行わずにステップＳ１１の処理を繰返す。
【００５４】
また他機からＣＭデータの送信要求を受信すると（ステップＳ１３のＹ）、テレビ受像機２は、当該送信要求により要求されたＣＭデータのバージョンと、自機のＣＭデータのバージョンとを比較する（ステップＳ４１）。
【００５５】
要求されたＣＭデータのバージョンが自機のＣＭデータのバージョンと同じである場合（ステップＳ４１の「同じ」）、テレビ受像機２は、今回の送信要求に応じるべきであると言える。そこでこの場合、テレビ受像機２は、一定時間の待機後に（ステップＳ４２）、自機のＣＭデータをブロードキャストする（ステップＳ４３）。その後、テレビ受像機２はステップＳ１１の処理を繰返す。
【００５６】
一方、要求されたＣＭデータのバージョンが自機のＣＭデータのバージョンより新しい場合（ステップＳ４１の「新しい」）、自機のＣＭデータは要求されたものより古いため、今回の送信要求に応じるべきではないと言える。また、もしこれから送信要求のブロードキャスト（ステップＳ３２を参照）を行おうとしているのであれば、このブロードキャストを取止めるべきであると言える。
【００５７】
そこでテレビ受像機２は、自機のＣＭデータのブロードキャストを行わないこととする。また更にテレビ受像機２は、これから送信要求のブロードキャスト行おうとしている場合にはこれを取止めることとし（ステップＳ４４）、ステップＳ１１の処理を繰返す。
【００５８】
また一方で、要求されたＣＭデータのバージョンが自機のＣＭデータのバージョンより古い場合（ステップＳ４１の「古い」）、自機のＣＭデータは要求されたものより新しいため、今回の送信要求に応じるべきであると言える。そこでこの場合、テレビ受像機２は、そのバージョンのＣＭデータの送信要求をブロードキャストした後（ステップＳ４５）、一定時間だけ待機し（ステップＳ４６）、自機のＣＭデータをブロードキャストする（ステップＳ４７）。その後、テレビ受像機２はステップＳ１１の処理を繰返す。
【００５９】
また他機からＣＭデータを受信すると（ステップＳ１４のＹ）、テレビ受像機２は、受信したＣＭデータのバージョンと、自機のＣＭデータのバージョンとを比較する（ステップＳ５１）。そして今回受信したＣＭデータのバージョンの方が新しい場合には（ステップＳ５１のＹ）、テレビ受像機２は、既定時間の待機後に（ステップＳ５２）、自機のＣＭデータを今回受信したものに更新する（ステップＳ５３）。その後、テレビ受像機２はステップＳ１１の処理を繰返す。
【００６０】
一方、今回受信したＣＭデータのバージョンが、自機のＣＭデータのバージョンより古い（または同じ）場合には（ステップＳ５１のＮ）、テレビ受像機２は、ステップＳ５２〜Ｓ５３の処理を行わずにステップＳ１１の処理を繰返す。なおステップＳ５２の待機処理は、第１実施形態におけるステップＳ６の待機処理と同様の趣旨で行われる。
【００６１】
上述した更新関連処理が各テレビ受像機２において実行されることにより、何れのテレビ受像機２のＣＭデータについても、最新バージョンのものとすることが可能である。また更に第２実施形態の更新関連処理によれば、予め行われるバージョン情報の通信を利用することにより、不要なＣＭデータの通信が極力抑えられ、第１実施形態に比べてネットワーク３の使用効率が向上する。
【００６２】
ここで、最新バージョンのＣＭデータを格納しているテレビ受像機２と、それより古いバージョンのＣＭデータを格納しているテレビ受像機２に着目し、後者のテレビ受像機２のＣＭデータが最新バージョンのものに更新される様子の一例について説明する。なお以下の説明では、便宜的に、最新バージョンのＣＭデータを格納しているテレビ受像機２を「テレビ（新）」と称し、それより古いバージョンのＣＭデータを格納しているテレビ受像機２を「テレビ（旧）」と称する。
【００６３】
テレビ（新）は、自機のＣＭデータのバージョン情報をブロードキャストすべきタイミングが到来すると（ステップＳ１１）、そのバージョン情報をブロードキャストする（ステップＳ２１）。これによりテレビ（旧）は、テレビ（新）からブロードキャストされた最新バージョンを示すバージョン情報を、受信することになる（ステップＳ１２のＹ）。
【００６４】
その後にテレビ（旧）は、受信したバージョン情報に示された最新バージョンの方が自機のＣＭデータのバージョンより新しいため（ステップＳ３１のＹ）、最新バージョンのＣＭデータの送信要求をブロードキャストする（ステップＳ３２）。これによりテレビ（新）は、テレビ（旧）からブロードキャストされた最新バージョンのＣＭデータの送信要求を、受信することになる（ステップＳ１３のＹ）。
【００６５】
そしてテレビ（新）は、この送信要求により要求されたＣＭデータのバージョンが自機のＣＭデータのバージョンと同じであるため（ステップＳ４１の「同じ」）、自機のＣＭデータ（最新バージョンのもの）をブロードキャストする（ステップＳ４３）。これにより、テレビ（旧）は、テレビ（新）からブロードキャストされた最新バージョンのＣＭデータを、受信することになる（ステップＳ１４のＹ）。
【００６６】
その後にテレビ（旧）は、受信したＣＭデータの方が自機のＣＭデータより新しいため（ステップＳ５１のＹ）、自機のＣＭデータを受信したものに更新することになる（ステップＳ５３）。その結果、テレビ（旧）のＣＭデータは、最新バージョンのものに更新されることになる。
【００６７】
なお、テレビ（旧）がステップＳ２１の処理を行うことにより、最新ではないバージョンを示すバージョン情報もブロードキャストされ、テレビ（新）がこのバージョン情報を受信することも考えられる。
【００６８】
しかしこの場合には、受信したバージョン情報が示すバージョンはテレビ（新）のＣＭデータのバージョンより新しくはないため（ステップＳ３１のＮ）、テレビ（新）がＣＭデータの送信要求をブロードキャストすることはない。これにより、その後に不要なＣＭデータの通信が行われることが抑えられるとともに、ＣＭデータが新しい方から古い方へ誤って更新される事態は回避される。
【００６９】
３．第３実施形態
次に第３実施形態について説明する。なお第３実施形態は、後述する確認データ取得処理が実行される点を除き、基本的には第１或いは第２実施形態と同様である。以下の説明では、第１或いは第２実施形態と異なる部分の説明に重点をおき、共通する部分については説明を省略することがある。
【００７０】
第３実施形態のテレビ受像機２は、第１或いは第２実施形態の場合と同様に、自機のＣＭデータを必要に応じて更新するための更新関連処理を実行する。そして更に第３実施形態のテレビ受像機２は、確認データの取得を実現させるための確認データ取得処理を、実行するようになっている。
【００７１】
この確認データは、主に作業者（ホテルマン等）が、各テレビ受像機２のＣＭデータのバージョンを確認するために用いるデータである。確認データ取得処理の内容について、図５に示すフローチャートを参照しながら以下に説明する。
【００７２】
テレビ受像機２は、作業者等による確認データ取得の操作指示が有ったか否か（ステップＳ６１）、および、他機からバージョン確認要求を受信したか否か（ステップＳ６２）を監視する。そしてバージョン確認要求を受信すると（ステップＳ６２のＹ）、テレビ受像機２は、バージョン確認応答をブロードキャストし（ステップＳ６３）、ステップＳ６１の処理を繰返す。「バージョン確認応答」は、自機の識別情報（例えば、ＩＰアドレスまたは部屋番号など）および自機のＣＭデータのバージョン情報を含み、これらの情報を他機に伝えるためのメッセージ情報である。
【００７３】
一方、確認データ取得の操作指示が有った場合には（ステップＳ６１のＹ）、テレビ受像機２は、バージョン確認要求をブロードキャストする（ステップＳ６４）。「バージョン確認要求」は、バージョン確認応答の送信（ブロードキャスト）を他機に要求するためのメッセージ情報である。
【００７４】
その後にテレビ受像機２は、自機の識別情報とバージョン情報を含む確認データを生成し、他機からバージョン確認応答を受信したか否か（ステップＳ６５）、および、全ての他機からバージョン確認応答を受信済みであるか否か（ステップＳ６６）を監視する。
【００７５】
バージョン確認応答を受信したら（ステップＳ６５のＹ）、テレビ受像機２は、そのバージョン確認応答の内容（送信元の識別情報とバージョン情報を含む）を追記するように確認データを更新し（ステップＳ６７）、ステップＳ６６の処理を行う。また全ての他機からバージョン確認応答を受信済みである場合には（ステップＳ６６のＹ）、テレビ受像機２は、確認データをディスプレイ２５に表示させる（ステップＳ６８）。その後、テレビ受像機２はステップＳ６１の処理を繰返す。
【００７６】
なおステップＳ６８の処理が行われる段階では、確認データの内容には、全てのテレビ受像機２についての識別情報とバージョン情報が含まれていることになる。そのため作業者は、ディスプレイ２５に表示された確認データを見ることにより、全てのテレビ受像機２のバージョン情報を確認することが可能である。また作業者は、更新関連処理が適切に行われているか（各テレビ受像機２のＣＭデータのバージョンが、最新のものに更新されているか）を確認することが可能である。
【００７７】
４．その他
以上に説明した通り各実施形態のテレビ受像機２は、自機と他機の間で互換性のあるＣＭデータ（特定データ）を格納する格納部２９ａと、更新関連処理を行う更新関連処理部２９ｂと、を備えている。そして更新関連処理は、自機に格納されているＣＭデータを他機に送信するデータ送信処理（ステップＳ３、Ｓ４３、Ｓ４７を参照）と、他機が有するＣＭデータを受信するデータ受信処理（ステップＳ２、Ｓ１４を参照）と、を含む。
【００７８】
更に更新関連処理は、受信したＣＭデータのバージョンと自機に格納されているＣＭデータのバージョンとを比較する第１比較処理（ステップＳ５、Ｓ５１を参照）を含む。更に更新関連処理は、第１比較処理の結果に応じて、自機に格納されているＣＭデータを受信したＣＭデータに更新する更新処理（ステップＳ７、Ｓ５３を参照）を含む。
【００７９】
そのためテレビ受像機２によれば、例えば特許文献１に開示されたリモート支援サイト等を要することなく、他のテレビ受像機２との連携により、データ更新の作業を自動化することが容易である。このようにテレビ受像機２によれば、システムの複雑化等を抑えながら、データ更新の作業を自動化することが容易である。なお本発明における特定データはＣＭデータに限られるものではなく、例えば、種々のユーザ設定情報やファームウェア等であってもよい。
【００８０】
また第２実施形態における更新関連処理は、更に次の処理を含んでいる。すなわち更新関連処理は、自機に格納されているＣＭデータのバージョン情報を他機に送信するバージョン送信処理（ステップＳ２１を参照）と、他機が有するＣＭデータのバージョン情報を受信するバージョン受信処理（ステップＳ１２を参照）を含む。
【００８１】
また更新関連処理は、受信したバージョン情報が示すバージョンと自機に格納されているＣＭデータのバージョンとを比較する第２比較処理（ステップＳ３１を参照）を含む。また更新関連処理は、第２比較処理の結果に応じて、前記示されたバージョンのＣＭデータの送信要求を他機に送信する要求送信処理（ステップＳ３２を参照）を含む。
【００８２】
また更新関連処理は、他機からＣＭデータの送信要求を受信する要求受信処理（ステップＳ１３を参照）と、受信した送信要求のＣＭデータのバージョンと自機に格納されているＣＭデータのバージョンとを比較する第３比較処理（ステップＳ４１を参照）を含む。そしてデータ送信処理は、第３比較処理の結果に応じて（より具体的には、受信した送信要求のＣＭデータのバージョンが自機に格納されているＣＭデータのバージョンと比べて、同じまたは古いときに）行われる。
【００８３】
また第３実施形態のテレビ受像機２が行う確認データ取得処理には、自機の識別情報および自機に格納されているＣＭデータのバージョン情報を他機に送信する処理（ステップＳ６３を参照）が含まれる。また確認データ取得処理には、他機の識別情報および他機が有するＣＭデータのバージョン情報を受信して記録する処理（ステップＳ６７を参照）が含まれる。
【００８４】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【符号の説明】
【００８５】
１      テレビシステム
２      テレビ受像機
２１    放送信号受信部
２２    放送信号処理部
２３    画像処理部
２４    音声処理部
２５    ディスプレイ
２６    スピーカ
２７    操作部
２８    通信部
２９    制御部
２９ａ  格納部
２９ｂ  更新関連処理部
３      ネットワーク
【図１】
2015130608.tif 000003
【図２】
2015130608.tif 000004
【図３】
2015130608.tif 000005
【図４】
2015130608.tif 000006
【図５】
2015130608.tif 000007